(57)【要約】      （修正有）【課題】手切りカッターが搭載されたプリンタにおいて、記録紙が斜行してジャム状態等になることを防ぐ。【解決手段】印字ヘッド１４０と、プラテンローラ１６０と、を有するプリンタにおいて、前記プラテンローラは、ローラ１６１と、軸受１６２と、前記軸受よりも内側に設けられ、前記軸受及び前記ローラよりも径の大きなフランジ１６３とを有することを特徴とする、プリンタを提供することにより上記課題を解決する。【選択図】図８
2017209825.tif 000002
【特許請求の範囲】
【請求項１】
印字ヘッドと、
プラテンローラと、
を有するプリンタにおいて、
前記プラテンローラは、ローラと、軸受と、前記軸受よりも内側に設けられ、前記軸受及び前記ローラよりも径の大きなフランジとを有することを特徴とする、プリンタ。
【請求項２】
前記プラテンローラが取り付けられる、可撓性を有する材料により形成されたブラケットを備えたプラテンユニットを有し、
前記ブラケットの長手方向の両側には、前記軸受が入れられる開口が形成されており、
前記開口の入口にはスナップフィット部が形成されており、
前記軸受を前記スナップフィット部に接触させて前記開口に入れることにより、前記プラテンローラが前記ブラケットに取り付けられることを特徴とする請求項１に記載のプリンタ。
【請求項３】
前記ブラケットには、記録紙をガイドする記録紙ガイドが設けられており、
前記プラテンローラが前記ブラケットに取り付けられている状態において、前記ガイドは、前記ローラと前記フランジとの間に位置することを特徴とする請求項２に記載のプリンタ。
【請求項４】
前記記録紙ガイドの上面には傾斜部が設けられており、
記録紙が、前記傾斜部に沿って排紙されることを特徴とする請求項３に記載のプリンタ。
【発明の詳細な説明】
【技術分野】
【０００１】
本発明は、プリンタに関する。
【背景技術】
【０００２】
プリンタは、商店等のレジスタ、銀行等におけるＡＴＭ（Automated Teller Machine）やＣＤ（Cash dispenser）等の用途に幅広く用いられている。
【０００３】
このようなプリンタにおいて、記録紙を切断する方式としては、オートカッター方式と手切りカッター方式とがある。オートカッター方式では、可動刃を駆動させることにより、固定刃と可動刃で記録紙を切断する方式である。また、手切りカッター方式では、記録紙を切るための手切りカッターが設けられており、記録紙を手で引っ張ることにより、記録紙を切断する方式である。
【先行技術文献】
【特許文献】
【０００４】
【特許文献１】特開２００３−２４６１０４号公報
【発明の概要】
【発明が解決しようとする課題】
【０００５】
ところで、手切りカッター方式では、人が記録紙を引っ張ることにより切断するが、この際、記録紙が幅方向に引っ張られ、記録紙が所定の位置より横にずれてしまう場合がある。記録紙が所定の位置からずれてしまうと、サーマルヘッドとプラテンローラとの間に挟まれた記録紙は、プラテンローラが回転することにより斜行して搬送され、記録紙がジャム状態となったり、プラテンローラに巻き込まれてしまう場合がある。
【０００６】
このため、手切りカッターにより切断した後の残った記録紙が斜行してジャム状態等になることのないプリンタが求められている。
【課題を解決するための手段】
【０００７】
本実施の形態の一観点によれば、印字ヘッドと、プラテンローラと、を有するプリンタにおいて、前記プラテンローラは、ローラと、軸受と、前記軸受よりも内側に設けられ、前記軸受及び前記ローラよりも径の大きなフランジとを有することを特徴とする。
【発明の効果】
【０００８】
本発明によれば、手切りカッターが搭載されたプリンタにおいて、手切りカッターにより切断した後の残った記録紙が斜行してジャム状態等になることを防ぐことができる。
【図面の簡単な説明】
【０００９】
【図１】プリンタの説明図（１）
【図２】プリンタの説明図（２）
【図３】プリンタの説明図（３）
【図４】第１の実施の形態におけるプリンタの斜視図
【図５】第１の実施の形態におけるプリンタの説明図（１）
【図６】第１の実施の形態におけるプリンタの説明図（２）
【図７】第１の実施の形態におけるプリンタの説明図（３）
【図８】第１の実施の形態におけるプリンタの説明図（４）
【図９】第２の実施の形態におけるプリンタのプラテンユニットの構造図（１）
【図１０】第２の実施の形態におけるプリンタの説明図（１）
【図１１】第２の実施の形態におけるプリンタのプラテンユニットの構造図（２）
【図１２】第２の実施の形態におけるプリンタの説明図（２）
【図１３】第２の実施の形態におけるプリンタの説明図（３）
【図１４】第２の実施の形態におけるプリンタの説明図（４）
【発明を実施するための形態】
【００１０】
本発明を実施するための形態について、以下に説明する。尚、同じ部材等については、同一の符号を付して説明を省略する。
【００１１】
最初に、手切りカッターが搭載されたプリンタについて、図１に基づき説明する。手切りカッターが搭載されたプリンタでは、図１（ａ）に示されるように、記録紙９００はプラテンローラ９１０の回転により搬送されてプリンタの外に排紙され、印字が終了した後には、図１（ｂ）に示すように記録紙９００を手切りカッター９２０に接触させ、破線矢印Ａに示す方向に記録紙９００を引っ張ることにより、記録紙９００を切断することができる。この際、記録紙９００には、破線矢印Ａ方向に力が加わるため、手切りカッター９２０により切断した残りの記録紙９００は、図１（ｃ）に示すように所定の位置から横にずれてしまう場合がある。記録紙９００がずれた状態のままプラテンローラ９１０により記録紙９００が搬送されると、記録紙９００は斜行して搬送されるため、記録紙９００がジャム状態となってしまう恐れがある。
【００１２】
図２に示すように、記録紙９００はプラテンローラ９１０のローラ９１１とサーマルヘッド９３０との間に挟まれて搬送されるが、記録紙９００が斜行すると、図２（ｂ）に示すように、記録紙９００の紙幅方向の一部がローラ９１１の外にはみ出してしまい、ブラケット９４０に設けられた記録紙ガイド９４１からはみ出すため、ブラケット９４０と軸受９１２との間に記録紙９００が入り込んだり、記録紙９００がブラケット９４０に接触することで、記録紙９００がジャム状態となる場合がある。尚、図２（ａ）は、記録紙９００が正常に搬送されている状態を示す。また、プラテンローラ９１０は、軸受９１２がブラケット９４０により支持されている。図２においては、便宜上、記録紙９００を一点鎖線で示す。破線矢印Ｂ１及びＢ２方向は、記録紙９００の搬送される方向を示す。
【００１３】
図３（ａ）に示されるように記録紙９００が正常に搬送されている状態では、記録紙９００はジャムを生じず、正常にプリンタの外に排紙される。一方、記録紙９００が斜行した場合には、図３（ｂ）に示すようにプラテンローラ９１０の下流側で記録紙９００がジャム状態となり、記録紙９００が正常に排紙されない場合がある。
【００１４】
〔第１の実施の形態〕
次に、第１の実施の形態におけるプリンタについて説明する。本実施の形態におけるプリンタは、図４に示されるように、プリンタメカユニット１１０と、プリンタメカユニット１１０に接続されるプラテンユニット１２０とを有している。尚、図４（ａ）は、プリンタメカユニット１１０とプラテンユニット１２０とが分離した状態の斜視図であり、図４（ｂ）は、プリンタメカユニット１１０とプラテンユニット１２０とが接続されている状態の斜視図である。
【００１５】
図４に示されるように、プラテンユニット１２０においては、プラテンローラ１６０がブラケット１７０に取り付けられている。プラテンローラ１６０は、ローラ１６１と、両端に設けられた軸受１６２とを有している。一方の軸受１６２よりも更に外側には、プラテンローラ１６０を回転させるためのギア１６４が設けられている。
【００１６】
図５（ａ）に示されるように、プリンタメカユニット１１０では、フレーム１３０に、サーマルヘッド１４０、ヒートシンク１４１、記録紙ガイド１５０が取り付けられており、プラテンローラ１６０の軸受１６２を支持するロックレバー１５１が設けられている。プリンタメカユニット１１０とプラテンユニット１２０との接続は、図５（ｂ）に示すように軸受１６２をロックレバー１５１に入れることによりなされる。
【００１７】
本実施の形態においては、図６（ａ）に示されるように、プラテンローラ１６０には、軸受１６２よりも径の広いフランジ１６３が、軸受１６２よりもプラテンローラ１６０の長手方向内側に設けられている。図６（ｂ）に示されるように、記録紙１００が斜行しても、記録紙１００の端がフランジ１６３の内側と接触し、フランジ１６３よりも外に出ることはない。これにより、記録紙１００の紙幅方向端部がブラケット１７０に接触することを防止でき、記録紙１００の斜行が制限され、記録紙１００がジャム状態となることを防ぐことができる。
【００１８】
本実施の形態においては、図７（ａ）に示すように、破線矢印Ｃ方向に記録紙１００が斜行して、図７（ｂ）に示されるように記録紙ガイド１７４を乗り越えたとしても、記録紙１００の端がフランジ１６３に接触するため、フランジ１６３よりも外にはみ出すことはなく、記録紙１００の斜行が制限される。尚、図７においては、便宜上、記録紙１００を一点鎖線で示す。
【００１９】
また、本実施の形態においては、図８に示すようにフランジ１６３の直径Ｒ１は、ローラ１６１の直径Ｒ２よりも大きい。記録紙１００はプラテンローラ１６０のローラ１６１とサーマルヘッド１４０との間に挟まれて搬送されるため、Ｒ１がＲ２よりも大きいと、記録紙１００が斜行しても、記録紙１００の端がフランジ１６３と接触する。よって、記録紙１００がフランジ１６３よりも外に出ることはなく、フランジ１６３によって記録紙１００の斜行が制限され、記録紙１００がジャム状態となることを防ぐことができる。
【００２０】
本実施の形態においては、フランジ１６３は軸受１６２と一体で形成されている。軸受１６２は、樹脂材料により形成されているものであってもよく、また、金属材料により形成されているものであってもよい。尚、フランジ１６３と軸受１６２は一体で形成されていなくてもよい。
【００２１】
〔第２の実施の形態〕
次に、第２の実施の形態について説明する。本実施の形態におけるプリンタは、ブラケットの構造に特徴を有している。
【００２２】
本実施の形態においては、図９に示されるように、プラテンユニット１２０では、プラテンローラ１６０がブラケット１７０に取り付けられている。ブラケット１７０は樹脂材料等の可撓性を有する材料により形成されており、図１０に示されるように、軸受１６２が入れられる開口１７１と、開口１７１の入口部分に形成されたスナップフィット部１７２とを有している。スナップフィット部１７２は、ブラケット１７０の長手方向の両端に設けられ、開口１７１の内側に出っ張った凸部１７３が設けられている。
【００２３】
ブラケット１７０にプラテンローラ１６０を取り付ける際には、図１０（ａ）に示す状態から、図１０（ｂ）に示すように開口１７１の入口より内部にプラテンローラ１６０を入れる。この際、軸受１６２によりスナップフィット部１７２の凸部１７３が押され外側に撓む。この後、開口１７１に軸受１６２が完全に入ると、スナップフィット部１７２は元の状態に戻り、プラテンローラ１６０がブラケット１７０に取り付けられる。この状態において軸受１６２はスナップフィット部１７２、具体的には凸部１７３により支持されており、力が加わらない限り、開口１７１より軸受１６２が外に出ることはない。
【００２４】
また、本実施の形態においては、図１１に示されるように、ブラケット１７０には記録紙ガイド１７４が設けられている。記録紙ガイド１７４は、スナップフィット部１７２よりも内側に設けられており、ブラケット１７０にプラテンローラ１６０が取り付けられている状態においては、図９（ｂ）に示すようにローラ１６１とフランジ１６３との間に位置する。これにより、記録紙１００が斜行し、ローラ１６１よりも外側に出た場合であっても、記録紙１００は記録紙ガイド１７４に沿って排紙されるため、ローラ１６１に巻き込まれることなく、排紙をすることができる。尚、スナップフィット部１７２は、フランジ１６３よりも外側に位置する。図１１（ａ）は、本実施の形態におけるプラテンユニット１２０の正面図であり、図１１（ｂ）は斜視図である。
【００２５】
本実施の形態においては、図１２及び図１３に示されるように、記録紙ガイド１７４の上面には傾斜部１７５が設けられている。図１４にも示されるように、この傾斜部１７５は、ローラ１６１の外周よりも径方向に内側の位置から外側に向けて形成されており、図１２に示すようにプラテンローラ１６０の軸に近い側が低くなるように傾斜している。このため、記録紙ガイド１７４に斜行した記録紙１００が乗り上げると、記録紙１００は破線矢印Ｄ方向に傾斜部１７５に沿ってガイドされるため、ブラケット１７０と軸受１６２との隙間に記録紙１００が入り込んだり、記録紙１００がブラケット１７０と接触し詰まることを防ぐことができる。このため、記録紙ガイド１７４付近で記録紙１００がジャム状態となることはない。尚、図１２は図１１（ａ）における一点鎖線１１Ａ−１１Ｂにおいて切断した断面図である。図１３（ａ）はプラテンユニット１２０の左側の記録紙ガイド１７４が形成されている部分の拡大図であり、図１３（ｂ）は右側の記録紙ガイド１７４が形成されている部分の拡大図である。
【００２６】
尚、上記以外の内容については、第１の実施の形態と同様である。
【００２７】
以上、本発明の実施に係る形態について説明したが、上記内容は、発明の内容を限定するものではない。
【符号の説明】
【００２８】
１１０      プリンタメカユニット
１２０      プラテンユニット
１３０      フレーム
１４０      サーマルヘッド
１５０      記録紙ガイド
１６０      プラテンローラ
１６１      ローラ
１６２      軸受
１６３      フランジ
１７０      ブラケット
１７１      開口
１７２      スナップフィット部
１７３      凸部
１７４      記録紙ガイド
１７５      傾斜部
【図１】
2017209825.tif 000003
【図２】
2017209825.tif 000004
【図３】
2017209825.tif 000005
【図４】
2017209825.tif 000006
【図５】
2017209825.tif 000007
【図６】
2017209825.tif 000008
【図７】
2017209825.tif 000009
【図８】
2017209825.tif 000010
【図９】
2017209825.tif 000011
【図１０】
2017209825.tif 000012
【図１１】
2017209825.tif 000013
【図１２】
2017209825.tif 000014
【図１３】
2017209825.tif 000015
【図１４】
2017209825.tif 000016